(57)【特許請求の範囲】
【請求項１】
天井部材と支持脚とを有する座卓の下方に掘枠が設けられ、前記天井部材の下面にヒータと攪拌ファンとが取付けられた掘りごたつにおいて、
前記天井部材の下面と掘枠の内面とに、掘りごたつ内の着座者の足の一部に向かって、掘りごたつ内の空気を吹き出す送風ファンが取付けられ、
前記天井部材の下面に取付けられた送風ファンは、着座者の膝関節付近に向かって吹き出し、前記掘枠の内側面に取付けられた送風ファンは、着座者のふくらはぎ付近に向かって吹き出し、前記掘枠の内底面に取付けられた送風ファンは、着座者の踵と足首付近に向かって吹き出すように設定されていて、
前記送風ファンの吹き出し口近傍に送風用ヒータが取付けられていることを特徴とする掘りごたつ。
【請求項２】
前記送風ファンの吹き出し口に、吹き出し方向を調節可能なルーバが取付けられていることを特徴とする請求項１に記載の掘りごたつ。
【請求項３】
前記攪拌ファンおよび各送風ファンは、個別に回転・停止の制御が可能であることを特徴とする請求項１または２に記載の掘りごたつ。
【発明の詳細な説明】
【技術分野】
【０００１】
本発明は、掘りごたつに関する。
【背景技術】
【０００２】
従来、天井部材と支持脚とを有する座卓の下方に掘枠が設けられ、前記天井部材の下面にヒータと攪拌ファンとが取付けられた掘りごたつがある（特許文献１参照）。なお、図示は省略するが、天井部材と支持脚とはこたつ布団で覆われて、天井部材の上にこたつ布団を介して天板が置かれている。
【０００３】
このような掘りごたつでは、天井部材の下面のヒータ（赤外線）で熱せられた空気を攪拌ファンで掘りごたつ内に行き渡らせて、足全体をほぼ均等に暖めることができる。
【特許文献１】特開平１０−１６０１６５号公報
【発明の開示】
【発明が解決しようとする課題】
【０００４】
しかしながら、掘りごたつ内の着座者の足の一部（例えば、膝関節付近、ふくらはぎ付近、踵と足首付近等）だけを集中的に暖めることができないという問題があった。
【０００５】
本発明は、前記問題を解消するためになされたもので、掘りごたつ内の着座者の足の一部だけを集中的に暖めることができる掘りごたつを提供することを目的とするものである。
【課題を解決するための手段】
【０００６】
前記課題を解決するために、本発明は、天井部材と支持脚とを有する座卓の下方に掘枠が設けられ、前記天井部材の下面にヒータと攪拌ファンとが取付けられた掘りごたつにおいて、前記天井部材の下面と掘枠の内面とに、掘りごたつ内の着座者の足の一部に向かって、掘りごたつ内の空気を吹き出す送風ファンが取付けられ、前記天井部材の下面に取付けられた送風ファンは、着座者の膝関節付近に向かって吹き出し、前記掘枠の内側面に取付けられた送風ファンは、着座者のふくらはぎ付近に向かって吹き出し、前記掘枠の内底面に取付けられた送風ファンは、着座者の踵と足首付近に向かって吹き出すように設定されていて、前記送風ファンの吹き出し口近傍に送風用ヒータが取付けられていることを特徴とする掘りごたつを提供するものである。
【０００８】
請求項２のように、前記送風ファンの吹き出し口に、吹き出し方向を調節可能なルーバが取付けられていることが好ましい。
【００１０】
請求項３のように、前記攪拌ファンおよび各送風ファンは、個別に回転・停止の制御が可能であることが好ましい。
【発明の効果】
【００１１】
本発明によれば、天井部材の下面のヒータで熱せられた空気を攪拌ファンで掘りごたつ内に行き渡らせて、足全体をほぼ均等に暖めることができる一方、天井部材の下面や掘枠の内面に取付けられた送風ファンは、掘りごたつ内の熱せられた空気を着座者の足の一部に向かって吹き出すようになるから、着座者の足の一部である膝関節付近、ふくらはぎ付近、踵と足首付近だけを集中的に暖めることができるので、採暖効果が高まり、着座者の要望に応じたきめ細かなニーズに対応できるようになる。
また、送風ファンの吹き出し向きは、着座者の膝関節付近、ふくらはぎ付近、踵と足首付近であるから、これらの部分を集中的に暖めることができる。
【００１２】
さらに、送風用ヒータにより、掘りごたつ内の熱せられた空気よりも温度が高い熱風を吹き出すことが可能になるから、採暖効果がより高まるようになる。
【００１３】
請求項２によれば、送風ファンの吹き出し口の吹き出し方向をルーバで調節可能であるから、着座者が集中的に暖める足の一部を微調節することが可能になる。
【００１５】
請求項３によれば、攪拌ファンおよび各送風ファンを個別に回転・停止の制御ができるから、着座者の要望に応じた、よりきめ細かなニーズに対応できるようになる。
【発明を実施するための最良の形態】
【００１６】
以下、本発明を実施するための最良の形態について、図面を参照しながら詳細に説明する。
【００１７】
図１は、掘りごたつ１であり、（ａ）は側面断面図、（ｂ）は略画的平面図である。
【００１８】
掘りごたつ１は、天井部材２と支持脚３とを有する座卓の下方の床４に掘枠５が設けられている。本例では、天井部材２と掘枠５は四角形状とし、支持脚３は、天井部材２と掘枠５の４隅に取付けられているものとするが、形状は丸形状や三角形状などであっても良い。なお、図示は省略するが、天井部材２と支持脚３とはこたつ布団で覆われて、天井部材２の上にこたつ布団を介して天板が置かれている。
【００１９】
天井部材２の下面中央部には、赤外線ヒータ７と、この赤外線ヒータ７で熱せられた空気を掘りごたつ１内に行き渡らせるための攪拌ファン８とが取付けられている。この攪拌ファン８のオン・オフに連動して赤外線ヒータ７がオン・オフするようになっている。
【００２０】
また、掘枠５の内底面５ａには、コード状ヒータ（若しくは面状発熱体）９が取付けられている。
【００２１】
天井部材２の下面には、中央部の赤外線ヒータ７と攪拌ファン８の外側部に、掘りごたつ１内の着座者２０の足の一部である膝関節２０Ａ付近（立上がった足の前上部）に向かって、掘りごたつ１内の空気を吹き出す（矢印ａ参照）送風ファン１０Ａが取付けられている。
【００２２】
また、掘枠５の内側面５ｂには、掘りごたつ１内の着座者２０の足の一部であるふくらはぎ２０Ｂ付近（立上がった足の後部）に向かって、掘りごたつ１内の空気を吹き出す（矢印ｂ参照）送風ファン１０Ｂが取付けられている。
【００２３】
さらに、掘枠５の内底面５ａには、掘りごたつ１内の着座者２０の足の一部である踵と足首２０Ｃ付近（立上がった足の後下部）に向かって、掘りごたつ１内の空気を吹き出す（矢印ｃ参照）送風ファン１０Ｃが取付けられている。
【００２４】
各送風ファン１０Ａ，１０Ｂ，１０Ｃの吹き出し口には、吹き出し方向を調節可能なルーバ１１が取付けられている。
【００２５】
図１（ａ）では、四角形状の天井部材２と掘枠５の１箇所（一辺）だけに各送風ファン１０Ａ，１０Ｂ，１０Ｃを取付けているが、図１（ｂ）に略画的に示すように、４箇所（四辺）に各送風ファン１０Ａ，１０Ｂ，１０Ｃを取付けても良い。無論、１箇所や２箇所であっても良い。
【００２６】
また、各送風ファン１０Ａ，１０Ｂ，１０Ｃは、全て取付ける必要は無く、例えば送風ファン１０Ａだけであっても良く、送風ファン１０Ａ，１０Ｂだけであっても良い。
【００２７】
前記のような掘りごたつ１であれば、天井部材２の下面の赤外線ヒータ７で熱せられた空気を攪拌ファン８で掘りごたつ１内に行き渡らせて、着座者２０の足全体をほぼ均等に暖めることができる。
【００２８】
一方、天井部材２の下面の送風ファン１０Ａは、着座者２０の足の膝関節２０Ａ付近に向かって吹き出すようになる（矢印ａ参照）。
【００２９】
また、掘枠５の内側面５ｂの送風ファン１０Ｂは、着座者２０のふくらはぎ２０Ｂ付近に向かって吹き出すようになる（矢印ｂ参照）。
【００３０】
さらに、掘枠５の内底面５ａに取付けられた送風ファン１０Ｃは、着座者２０の踵と足首付近２０Ｃに向かって吹き出すようになる（矢印ｃ参照）。
【００３１】
このように、各送風ファン１０Ａ，１０Ｂ，１０Ｃは、掘りごたつ１内の熱せられた空気を着座者２０の足の一部である膝関節付近２０Ａ、ふくらはぎ付近２０Ｂ、踵と足首付近２０Ｃに向かって吹き出すから、膝関節付近２０Ａ、ふくらはぎ付近２０Ｂ、踵と足首付近２０Ｃだけを集中的に暖めることができるので、採暖効果が高まり、着座者の要望に応じたきめ細かなニーズに対応できるようになる。
【００３２】
また、各送風ファン１０Ａ，１０Ｂ，１０Ｃの吹き出し口は、吹き出し方向をルーバ１１で調節可能であるから、着座者２０が集中的に暖める足の一部を微調節することができる。
【００３３】
さらに、図２に示すように、各送風ファン１０Ａ，１０Ｂ，１０Ｃの吹き出し口近傍に送風用ヒータ１２を取付けることができる。この各送風ファン１０Ａ，１０Ｂ，１０Ｃのオン・オフに連動して送風用ヒータ１２がオン・オフするようになっている。
【００３４】
このようにすれば、送風用ヒータ１２により、掘りごたつ１内の熱せられた空気よりも温度が高い熱風を吹き出すことが可能になるから、採暖効果がより高まるようになる。
【００３５】
攪拌ファン８および各送風ファン１０Ａ，１０Ｂ，１０Ｃは、個別に回転・停止の制御が可能である構成とすることができる。
【００３６】
例えば、図３に示すように、掘りごたつ１側の受信・制御器１８に攪拌ファン８および各送風ファン１０Ａ，１０Ｂ，１０Ｃを接続するとともに、リモコン（送信器）１５に、攪拌ファン８のオン・オフ用スイッチ１６と、４箇所の各送風ファン１０Ａ，１０Ｂ，１０Ｃのオン・オフ用スイッチ１７Ａ、１７Ｂ，１７Ｃをそれぞれ設ければ良い。
【００３７】
このように、攪拌ファン８および各送風ファン１０Ａ，１０Ｂ，１０Ｃを個別に回転・停止の制御ができるようにすれば、着座者の要望に応じた、よりきめ細かなニーズに対応できるようになる。
【図面の簡単な説明】
【００３８】
【図１】本発明の実施形態に係る掘りごたつであり、（ａ）は側面断面図、（ｂ）は略画的平面図である。
【図２】図１の変形例の掘りごたつの側面断面図である。
【図３】受信・制御器とリモコン（送信器）とのシステム図である。
【符号の説明】
【００３９】
１      掘りごたつ
２      天井部材
３      支持脚
５      掘枠
７      赤外線ヒータ
８      攪拌ファン
１０Ａ〜１０Ｃ  送風ファン
１１    ルーバ
１２    送風用ヒータ
１５    リモコン
１８    受信・制御器
２０    着座者
２０Ａ  膝関節付近（足の一部）
２０Ｂ  ふくらはぎ付近（足の一部）
２０Ｃ  踵と足首付近（足の一部）
【図１】
0005006738.tif 000002
【図２】
0005006738.tif 000003
【図３】
0005006738.tif 000004